(57)【要約】【課題】ＬＣＤテレビジョンの基板取りつけにおいて使用されるビス数を削減し、ビスを削減しても基板へアース電位供給を確保できる構成を提供する。【解決手段】パネル固定板金４５に折り返し片１２０ａ〜１２０ｄおよび凸部１３０ａ〜１３０ｄを形成するとともに、デジタル基板７０に半田盛１１０ａ〜１１０ｄおよびその裏面に半田盛１１５ａ〜１１５ｄを形成し、デジタル基盤７０をスライドさせて折り返し片および凸部の作る隙間に挿入して固定する。【選択図】図４
2007116556.tif 000002
【特許請求の範囲】
【請求項１】
映像を画面に表示する平坦な表示面を前面に向けた液晶表示パネルと、
音声を出力するスピーカと、
テレビ放送を受信して映像を上記液晶表示パネルに表示させるとともに音声を上記スピーカにて出力させる主基板と、
上記主基板に具現されない処理を担当する補助基板と、
上記液晶表示パネルとスピーカと主基板とを収容する樹脂製のキャビネットと、
上記液晶表示パネルを同液晶表示パネルの背面より支持して上記キャビネットに固定し、上記主基板を背面にネジ止めするとともに、上記補助基板を背面に固定し、アースに接続されたパネル固定板金とを備える液晶テレビジョンにおいて、
上記補助基板は、略矩形のプリント基板とされ、四隅の裏表に花びら状に凹凸をつけて半田を塗布することにより半田盛がそれぞれ形成され、
上記パネル固定板金の背面には、上記補助基板を固定する位置に、上記半田盛のそれぞれの位置にあわせて、しぼり加工によって後方へ膨らんだ断面略台形状の複数の凸部と、本パネル固定板金をコ字状に切り欠くとともに内側の短冊状部分を略９０度屈曲せしめて起立させ、先端部を切り欠き部分と反対の側に屈曲させた鉤型に形成することによって同凸部の後方で同凸部と相対向する位置であって同凸部との間で上記補助基板の縁部を挿入して挟持可能とした複数の折り返し片と、がそれぞれ形成され、同複数の凸部と同複数の折り返し片との間で上記補助基板が上方から下方へ挿入されて固定されるようにされ、
上記複数の凸部は、固定された状態の上記補助基板の下側縁部の左右端部において前側に形成された各半田盛に接触する第一および第二の下側凸部と、同固定された状態の上記補助基板の上側縁部の左右端部において前側に形成された各半田盛に接触する第一および第二の上側凸部と、から構成され、固定された状態の上記補助基板の前面と上記パネル固定板金の背面との間に隙間を設けさせるように形成され、
上記複数の折り返し片は、上記第一および第二の下側凸部に相対向して固定された状態の上記補助基板の下側縁部の左右端部において後側に形成された各半田盛に接触する第一および第二の下側折り返し片と、上記第一および第二の上側凸部に相対向して同固定された状態の上記補助基板の上側縁部の左右端部において後側に形成された各半田盛に接触する第一および第二の上側折り返し片と、から構成され、
上記第一および第二の下側折り返し片は、下から上へ折り返されて上記補助基板の下側縁部を下側から支持する形状とされるとともに、上記半田盛と接する位置に当該半田盛に向けて突出した係合突起が形成され、
上記第一および第二の上側折り返し片は、上記補助基板の左右方向外側から左右方向内側へ折り返されて上記補助基板の左右縁部をスライド可能に保持する形状とされ、
上記補助基板の下側縁部の左右端部において後側に形成された各半田盛には、上記係合突起と係合する位置に窪んだ形状の係合くぼみがそれぞれ形成され、
上記補助基板は、上記第一および第二の上側凸部と上記第一および第二の上側折り返し片との間に左右への移動を規制されつつ上方から挿入されて上記第一および第二の下側凸部と上記第一および第二の下側折り返し片との間に上方から挿入されて下方への移動を規制され、上記係合くぼみのそれぞれが上記係合突起のそれぞれに係合して位置決めされ、下側縁部の各半田盛が上記第一および第二の下側凸部と上記第一および第二の下側折り返し片とで挟まれてアースに接続され、上側縁部の半田盛が上記第一および第二の上側凸部と上記第一および第二の上側折り返し片とで挟まれてアースに接続されるとともに、上記パネル固定板金の背面との間に隙間が設けられて固定されることを特徴とする液晶テレビジョン。
【請求項２】
映像を画面に表示するフラット表示パネルと、
音声を出力するスピーカと、
テレビ放送を受信して映像を上記フラット表示パネルに表示させるとともに音声を上記スピーカにて出力させる主基板と、
上記主基板に具現されない処理を担当する補助基板と、
上記液晶表示パネルとスピーカと主基板とを収容する樹脂製のキャビネットと、
上記フラット表示パネルを同フラット表示パネル裏面より支持して上記キャビネットに固定するとともに、上記補助基板が固定されるパネル固定板金とを備えるパネル型テレビジョンにおいて、
上記パネル固定板金は複数の凸部と、上記凸部と対応する位置に鉤型に形成される複数の折り返し片と、アース端子とを備え、
上記プリント基板は、上記凸部に対応する位置および上記折り返し片に対応する位置に半田を塗布して形成する半田盛が形成され、
上記凸部と上記折り返し片とが形成する隙間は、上記半田盛を挟み込んで固定するとともに、上記凸部および上記折り返し片から上記半田盛にアース電位を供給することを特徴とするパネル型テレビジョン。
【請求項３】
上記複数の折り返し片のうち、
基板挿入方向奥側に位置するものは基板挿入方向奥側から手前側に折り返され、
基板挿入方向の側方に位置するものは基板挿入方向の左右外側から内側に向けて折り返されることを特徴とする上記請求項２に記載のパネル型テレビジョン。
【請求項４】
上記半田盛りは、花びら状に凹凸をつけて形成されることを特徴とする上記請求項２または３に記載のパネル型テレビジョン。
【請求項５】
上記パネル固定板金において、上記凸部の形成位置と上記折り返し片の形成位置とをずらしたことを特徴とする上記請求項２〜４のいずれかに記載のパネル型テレビジョン。
【請求項６】
上記折り返し片は、上記半田盛と接する位置に上記半田盛に向けた係合突起が形成され、
上記半田盛は、上記係合突起と係合する位置に係合くぼみが形成されることを特徴とする上記請求項２〜５のいずれかに記載のパネル型テレビジョン。
【発明の詳細な説明】
【技術分野】
【０００１】
本発明は、パネル型テレビジョンおよび液晶テレビジョンなどに使用されるプリント基板の取付構造に関する。
【背景技術】
【０００２】
基板を筐体に取り付ける際は、基板にスルーホールを形成し、ビスで筐体の板金フレームにビス止めするとともに、アースを取ることが一般的である。
【０００３】
特許文献１には、三枚のアース板にてプリント基板を保持できるようにフレームグランドとなる金属板に固定し、取りつけ板を一辺に固定したプリント基板をアース板のバネ状支持部に挿入して組み立てる情報処理装置について開示されています。
【０００４】
特許文献２には板金部品とプリント配線基板の相対スライドにより、板金部品の左右側部の板状当接片のコ字形スリット溝がプリント配線基板の左右の側縁部の係合演出部を係合して、プリント配線基板を上下方向に位置決めすることで、板金部品とプリント配線基板を結合して一体化することについて開示されています。
【特許文献１】特開２００４ー０５５９８８
【特許文献２】特開平０５−３４３８６８
【発明の開示】
【発明が解決しようとする課題】
【０００５】
本発明では、ＬＣＤテレビジョンの基板取りつけにおいて使用されるビス数を削減し、ビスを削減しても基板へアース電位供給を確保できる構成を提供することを目的とする。
【課題を解決するための手段】
【０００６】
上記目的を達成するために、本発明では、基板をスライド式に取りつけ可能な板金構造を備える構成を採用している。
すなわち、映像を画面に表示する平坦な表示面を前面に向けた液晶表示パネルと、音声を出力するスピーカと、テレビ放送を受信して映像を上記液晶表示パネルに表示させるとともに音声を上記スピーカにて出力させる主基板と、上記主基板に具現されない処理を担当する補助基板と、上記液晶表示パネルとスピーカと主基板とを収容する樹脂製のキャビネットと、上記液晶表示パネルを同液晶表示パネルの背面より支持して上記キャビネットに固定し、上記主基板を背面にネジ止めするとともに、上記補助基板を背面に固定し、アースに接続されたパネル固定板金とを備える液晶テレビジョンにおいて、上記補助基板は、略矩形のプリント基板とされ、四隅の裏表に花びら状に凹凸をつけて半田を塗布することにより半田盛がそれぞれ形成され、上記パネル固定板金の背面には、上記補助基板を固定する位置に、上記半田盛のそれぞれの位置にあわせて、しぼり加工によって後方へ膨らんだ断面略台形状の複数の凸部と、本パネル固定板金をコ字状に切り欠くとともに内側の短冊状部分を略９０度屈曲せしめて起立させ、先端部を切り欠き部分と反対の側に屈曲させた鉤型に形成することによって同凸部の後方で同凸部と相対向する位置であって同凸部との間で上記補助基板の縁部を挿入して挟持可能とした複数の折り返し片と、がそれぞれ形成され、同複数の凸部と同複数の折り返し片との間で上記補助基板が上方から下方へ挿入されて固定されるようにされ、上記複数の凸部は、固定された状態の上記補助基板の下側縁部の左右端部において前側に形成された各半田盛に接触する第一および第二の下側凸部と、同固定された状態の上記補助基板の上側縁部の左右端部において前側に形成された各半田盛に接触する第一および第二の上側凸部と、から構成され、固定された状態の上記補助基板の前面と上記パネル固定板金の背面との間に隙間を設けさせるように形成され、上記複数の折り返し片は、上記第一および第二の下側凸部に相対向して固定された状態の上記補助基板の下側縁部の左右端部において後側に形成された各半田盛に接触する第一および第二の下側折り返し片と、上記第一および第二の上側凸部に相対向して同固定された状態の上記補助基板の上側縁部の左右端部において後側に形成された各半田盛に接触する第一および第二の上側折り返し片と、から構成され、上記第一および第二の下側折り返し片は、下から上へ折り返されて上記補助基板の下側縁部を下側から支持する形状とされるとともに、上記半田盛と接する位置に当該半田盛に向けて突出した係合突起が形成され、上記第一および第二の上側折り返し片は、上記補助基板の左右方向外側から左右方向内側へ折り返されて上記補助基板の左右縁部をスライド可能に保持する形状とされ、上記補助基板の下側縁部の左右端部において後側に形成された各半田盛には、上記係合突起と係合する位置に窪んだ形状の係合くぼみがそれぞれ形成され、上記補助基板は、上記第一および第二の上側凸部と上記第一および第二の上側折り返し片との間に左右への移動を規制されつつ上方から挿入されて上記第一および第二の下側凸部と上記第一および第二の下側折り返し片との間に上方から挿入されて下方への移動を規制され、上記係合くぼみのそれぞれが上記係合突起のそれぞれに係合して位置決めされ、下側縁部の各半田盛が上記第一および第二の下側凸部と上記第一および第二の下側折り返し片とで挟まれてアースに接続され、上側縁部の半田盛が上記第一および第二の上側凸部と上記第一および第二の上側折り返し片とで挟まれてアースに接続されるとともに、上記パネル固定板金の背面との間に隙間が設けられて固定される構成としてある。
【０００７】
また、上記目的を達成するために、請求項２に記載のパネル型テレビジョンでは、映像を画面に表示するフラット表示パネルと、音声を出力するスピーカと、テレビ放送を受信して映像を上記フラット表示パネルに表示させるとともに音声を上記スピーカにて出力させる主基板と、上記主基板に具現されない処理を担当する補助基板と、上記フラット表示パネルとスピーカと主基板とを収容する樹脂製のキャビネットと、上記フラット表示パネルを同フラット表示パネル裏面より支持して上記キャビネットに固定するとともに、上記補助基板が固定されるパネル固定板金とを備えるパネル型テレビジョンにおいて、上記パネル固定板金は複数の凸部と、上記凸部と対応する位置に鉤型に形成される複数の折り返し片と、アース端子とを備え、上記プリント基板は、上記凸部に対応する位置および上記折り返し片に対応する位置に半田を塗布して形成する半田盛が形成され、上記凸部と上記折り返し片とが形成する隙間は、上記半田盛を挟み込んで固定するとともに、上記凸部および上記折り返し片から上記半田盛にアース電位を供給する構成としてある。
【０００８】
すなわち、上記プリント基板の表と裏とに形成された半田を塗布して形成する上記半田盛を、上記板金部品に形成された上記凸部と上記折り返し片とで挟み込むことにより、上記プリント基板を上記板金部品に固定するとともに、上記プリント基板にアース電位を供給する。
【発明の効果】
【０００９】
以上説明したように、本発明によればビスなしで基板を板金に取り付けられる構造を提供でき、さらにビスなしでも基板へのアース電位供給を確実に行うことが可能となる。
また、請求項３にかかる発明によれば、基板挿入方向に対して側方への移動を規制しつつ、挿入完了すると挿入方向奥側への移動も規制することが可能な構造を提供できる。
そして、請求項４にかかる発明によれば、より確実に基板へのアース電位供給が行えるようになる。
また、請求項５および６にかかる発明によれば、基板を板金に位置決めするとともに、さらに確実に固定できる構造を提供できる。
むろん請求項１のような、より具体的な構成において上述した請求項２〜請求項６の各発明と同様の作用を奏することはいうまでもない。
【発明を実施するための最良の形態】
【００１０】
以下、下記の順序に従って本発明の実施形態を説明する。
（１）パネル型テレビジョンの構成：
（２）基板取りつけ構造：
（３）基板取りつけ構造の変形例１：
（４）まとめ：
【００１１】
（１）パネル型テレビジョンの構成： 
以下、本発明の一実施形態にかかる液晶テレビジョン１０について説明する。図１は、液晶テレビジョン１０を斜め前方より見た斜視図である。同図において、液晶テレビジョン１０は、樹脂製のフロントキャビネット２０およびバックキャビネット３０と、映像を画面に表示する液晶パネル４０と、脚部５０とから構成されている。フロントキャビネット２０は、表示面が前面側に露出するように液晶表示パネル４０を保持している。またフロントキャビネット２０内部には、図示しない、音声を出力するためのスピーカが取り付けられている。バックキャビネット３０は中央部が背面側に厚く形成されており、厚く形成された部分の内部には各種基板が納められている。脚部５０は、液晶テレビジョン１０の内部に設置されてフロントキャビネットに取り付けられる板金を支持しており、それにより液晶表示パネル４０の表示面が略鉛直に配向させられている。本実施例においてはフラット表示パネルとして液晶表示パネルを採用したが、パネル型の表示パネルであればいかなる物でもよく、むろんプラズマディスプレイの表示パネルであっても構わない。
【００１２】
図２はバックキャビネット３０を取り外した液晶テレビジョン１０を斜め後方より見た斜視図である。同図において、パネル固定板金４５は一体成型された板金で、浅い箱形の容器状であり、その側面からはフロントキャビネット２０に同板金を固定するための鍔状の突起が出ている。そして箱部分にて液晶表示パネル４０を覆うとともに液晶表示パネル４０を裏面より支持して、鍔状の突起に形成されたネジ穴にて、同パネルをフロントキャビネット２０に固定する。フロントキャビネット２０には上記ネジ穴に対応する位置にネジ受けボスが立設される。またパネル固定板金４５にはアース端子が接続されて、同パネルにアースを確保する。むろんこのパネル固定板金４５は一体成型されたもの以外に、複数の板金にて構成されていても構わない。
【００１３】
さらに、パネル固定板金４５の背面には主基板６０と補助基板７０とが取り付けられる。補助基板７０としてはＭＰＥＧデータを変換して主基板に出力したり、デジタル信号の入出力および変換を行ったりするデジタル基板などが考えられる。むろんそれ以外にも主基板に搭載されない機能を具現したいかなる基板であっても構わない。パネル固定板金４５には、主基板６０に形成されたスルーホールと対応する位置に凸部が形成され、同凸部の突端にはネジ穴が開けられている。そして、主基板６０のスルーホールと、パネル固定板金４５の凸部との位置を合わせてネジ止めする。パネル固定板金４５にはアースが確保されているため、このネジ止めにより主基板にもアースが確保される。主基板６０は凹字型をしており、凹字のへこみ部分に略矩形の補助基板７０が配置される。むろん、基板を取り付けるための板金をパネル固定板金４５以外に設けて、その板金上に各種基板を取り付ける構成としても構わない。
【００１４】
図３は、本発明の実施形態にかかる液晶テレビジョン１０の概略構成をブロック図により示している。液晶テレビジョン１０は、概略、アンテナ２１５の接続されたチューナ回路２１０と、画像データ生成回路２２０と、パネル駆動回路２３０と、液晶表示パネル４０と、電源回路２４０と、マイコン２５０と、インバータ回路２６０と、バックライト２７０とからなる。上記構成においてマイコン２５０は、液晶テレビジョン１０を構成する各部と電気的に接続しており、マイコン２５０内部の構成部品としてのＣＰＵが、同じくマイコン２５０内の構成部品であるＲＯＭやＲＡＭなどに書き込まれた各プログラムに従って、液晶テレビジョン１０全体を制御する。なお、ＣＰＵやＲＯＭやＲＡＭについては図示を省略している。
【００１５】
チューナ回路２１０は、マイコン２５０の制御によりアンテナ２１５よりテレビ放送を受信し、所定の信号増幅処理等を行いつつ、テレビジョン放送信号から中間周波信号としての映像信号を抽出し、画像データ生成回路２２０へ出力する。画像データ生成回路２２０は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００１６】
パネル駆動回路２３０では、上記ＲＧＢ信号を入力するとともにＲＧＢ信号に対して液晶表示パネル４０の画素数（横縦比、ｍ：ｎ）に合わせたスケーリング処理を行い、液晶表示パネル４０に表示する１画面分の画像データを生成する。そして、このように生成された画像データを液晶表示パネル４０に出力することにより、液晶表示パネル４０に画像データに基づく画像表示をさせる。
【００１７】
電源回路２４０は、外部の商用電源等から電源電圧（交流）の供給を受けるとともに、同供給された電源電圧を、マイコン２５０を始めインバータ回路２６０等、各回路へ供給する。電源回路２４０は、必要に応じて各回路へ供給する電圧を交流から直流へと変換する。
バックライト２７０は、液晶表示パネル４０を背面から照射する光源の役割を果たす。
インバータ回路２６０は、電源回路２４０から供給された直流電圧を交流電圧に変換し、駆動信号としての当該交流電圧をバックライト２７０に供給し、バックライト２７０を点灯させる。
【００１８】
主基板にはこれらの回路のうちチューナ回路２１０と、画像データ生成回路２２０と、パネル駆動回路２３０と、電源回路２４０と、マイコン２５０と、インバータ回路２６０とから成り、アンテナ２１５を通して受信したテレビ放送を信号処理し、映像を液晶表示パネル４０に表示させるとともに、音声を上記スピーカに出力する。
【００１９】
（２）基板取りつけ構造： 
図４および図５を参照して補助基板７０をパネル固定板金４５に取り付ける構造について説明する。図４は補助基板７０の基板取りつけ部分の部分斜視図を示し、図５には補助基板７０を取りつけたときの折り返し片１２０ａおよび１２０ｂを通る面における部分断面図を示してある。補助基板７０にはＬＳＩやコンデンサ、ソケットなどの電子部品が実装され、プリント配線や電子部品を避けて基板の４隅に半田盛１１０ａ〜１１０ｄが形成される。これら半田盛の位置には、従来はスルーホールが形成され、ネジ止めに使用されていた。
【００２０】
同図には図示されていないが、補助基板７０裏面にも、表面の半田盛と対応する位置に半田盛が形成される。半田盛の数は、表と裏とにそれぞれ４つずつでもよいし、３つずつでもよいし、基板を支持することが可能であればいくつ形成されても構わない。さらに半田盛における半田の形状は、基板面と平行に平たく形成されてもよいし、凸凹を持つように形成されてもよい。むろん、図６のように花びら状に凹凸をつけて形成されてもよく、様々な形状が採用可能である。半田盛に凹凸をつけて形成すると、後述する折り返し片や凸部との接点が確保しやすくなり、アースの確保も容易となる。
【００２１】
一方、パネル固定板金４５の背面には、補助基板７０を固定する位置に、半田盛１１０ａ〜１１０ｄのそれぞれの位置にあわせて、しぼり加工によって後方へ膨らんだ断面が略台形状の複数の凸部１３０ａ〜１３０ｄと、本パネル固定板金を切起こして鉤型に形成することによって同凸部の後方で同凸部と相対向する位置であって同凸部との間で補助基板７０の縁部を挿入して挟持可能とした複数の折り返し片１２０ａ〜１２０ｄとがそれぞれ形成される。
【００２２】
折り返し片は、図４のように板金をコ字状に切り欠かくとともに内側の短冊状部分を略９０度屈曲せしめて起立させ、先端部を切り欠き部分と反対の側に屈曲させた鉤型に形成される。同図の矢印方向に補助基板７０を挿入するとき、補助基板７０の挿入方向奥側に位置する折り返し片１２０ｃおよび１２０ｄは形成位置の下方から切り出されて上方に折り返され、補助基板７０の挿入方向の側方に位置する折り返し片１２０ａおよび１２０ｂは、形成位置の外側に当たる左側と右側からそれぞれ切り出した板金を、内側に向かって右と左とにそれぞれ折り返して形成される。
【００２３】
従って、板金と平行な面より見ると、この凸部はこの折り返し片の舌部の下に隠れる。この各凸部とそれに対応する各折り返し片の舌部との間隔は、補助基板７０の半田盛の形成された部分の厚みよりわずかに狭く、補助基板７０を挿入すると図５のように半田盛の形成された部分が折り返し片の舌部と凸部と噛み合わさり、しっかりと保持される。その一方で、各凸部とそれに対応する各折り返し片の舌部との間隔は、補助基板７０の基板厚みよりは広いため、補助基板７０のプリント面に傷をつけることはない。
【００２４】
これら折り返し片および凸部により、補助基板７０をスライド式に上方から挿入すると、凸部１３０ａおよび１３０ｂと折り返し片１２０ａおよび１２０ｂとの間にの間を左右への移動を規制されつつ挿入され、凸部１３０ｃおよび１３０ｄと折り返し片１２０ｃおよび１２０ｄとの間に上方から挿入されて下方への移動を規制される。これにより補助基板７０を上側以外の方向から支持する構造と成り、同基板を安定して保持することが可能な構造となる。  
【００２５】
補助基板７０は、下側縁部の各半田盛が凸部１３０ｃおよび１３０ｄと折り返し片１２０ｃおよび１２０ｄとで挟まれてアースに接続され、上側縁部の半田盛が凸部１３０ａおよび１３０ｂと折り返し片１２０ａおよび１２０ｂとで挟まれてアースに接続されるとともに、パネル固定板金４５の背面との間に隙間が設けられて固定される。これにより補助基板７０の半田盛部分はパネル固定基板４５と等電位となり、パネル固定基板４５にアースが確保されると、半田盛部分もアースと等電位となる。また半田盛のある部位以外はパネル固定板金４５と接触することはない。
【００２６】
補助基板７０をパネル固定板金４５に挿入して固定すると、半田盛１１０ａは折り返し片１２０ａと、半田盛１１０ｂは折り返し片１２０ｂと、半田盛１１０ｃは折り返し片１２０ｃと、そして半田盛１１０ｄは折り返し片１２０ｄとそれぞれ当接する。また半田盛１１５ａ、１１５ｂおよび図示しない１１５ｃと１１５ｄは、半田盛１１５ａは凸部１３０ａと、半田盛１１５ｂは凸部１３０ｂと、半田盛１１５ｃは凸部１３０ｃと、そして半田盛１１５ｄは凸部１３０ｄとそれぞれ当接する。
【００２７】
（３）基板取りつけ構造の変形例１： 
上述した実施例では、パネル固定板金４５に形成される折り返し片と凸部とは、板金と平行な平面図では、凸部が折り返し片の舌部の下に隠れように配置されていたが、凸部と折り返し片の位置をずらしても構わない。図７に板金に形成される凸部と折り返し片の位置をずらしたときの平面図を示す。同図に示すように凸部が折り返し片に隠れず、各折り返し片の上方にずれた位置に配置される構成となっている。
【００２８】
図８に当変形例における補助基板７０の表面を、そして図９に裏面を示した。パネル固定板金４５における凸部と折り返し片の位置が違うため、補助基板７０の表と裏とに形成される半田盛の位置も表と裏とで位置が異なる。図８の平面図では半田盛１１１ａ，１１１ｂ，１１１ｃ，１１１ｄはそれぞれ折り返し片１２１ａ，１２１ｂ，１２１ｃ，１２１ｄと重なる位置にあるが、裏面から見た平面図である図９では半田盛１１６ａ，１１６ｂ，１１６ｃ，１１６ｄは折り返し片１２１ａ，１２１ｂ，１２１ｃ，１２１ｄとは重ならない位置に形成される。
【００２９】
また、図１０は図７の１３１ａ，１２１ａ，１３１ｃ，１２１ｃを通る断面図である。折り返し片１２１ａは半田盛１１１ａと、折り返し片１２１ｃは半田盛１１１ｃと、凸部１３１ａは半田盛１１６ａと、凸部１３１ｃは半田盛１１６ｃとそれぞれ当接している。このとき補助基板７０には同図に矢印で示したように半田盛１１６ａにおいては裏から、半田盛１１１ａにおいては表から、半田盛１１６ｃにおいては裏から、半田盛１１１ｃにおいては表からというように互い違いに応力がかかるため、補助基板７０はパネル固定板金４５にしっかりと固定される。従って、半田盛と凸部および折り返し片の接触も十分に確保され、アースの確保がより容易になる。
【００３０】
さらに折り返し片の補助基板７０基板との接触面に突起を形成し、補助基板７０においてこの突起に対応する位置にくぼみを作り、突起とくぼみとを係合させることで、折り返し片が補助基板７０をより強固に固定する構造としてもよい。図１１に示すように、折り返し片１２２ａおよび１２２ｂの半田盛と当接する側に係合突起を形成し、補助基板７０の半田盛の位置に予めくぼみを形成した上で半田を塗布し、くぼみを持つ半田盛１１２ａおよび１１２ｂを形成する。補助基板７０を挿入すると、折り返し片１２２ａの係合突起は半田盛１１２ａのくぼみに係合し、折り返し片１２２ｂの係合突起は半田盛１１２ｂのくぼみに係合し、位置決めするとともに抜けを防止する。
【００３１】
むろん凸部１３２ａに対応する半田盛１１７ａや、凸部１３２ｂに対応する半田盛１１７ｂの位置にもくぼみを形成して、凸部１３２ａおよび凸部１３２ｂが半田盛１１７ａおよび半田盛１１７ｂにそれぞれ係合する構成としても構わない。
【００３２】
ここで凸部１２０ａおよび１２０ｂ、または凸部１２１ａおよび１２１ｂ、もしくは凸部１２２ａおよび１２２ｂがそれぞれ上記第一および第二の上側凸部を構成し、凸部１２０ｃおよび１２０ｄ、または凸部１２１ｃおよび１２１ｄ、もしくは凸部１２２ｃおよび１２２ｄがそれぞれ第一および第二の下側凸部を構成し、折り返し片１３０ａおよび１３０ｂ、または折り返し片１３１ａおよび１３１ｂ、もしくは折り返し片１３２ａおよび１３２ｂがそれぞれ第一および第二の上側折り返し片を構成し、折り返し片１３０ｃおよび１３０ｄ、または折り返し片１３１ｃおよび１３１ｄ、もしくは折り返し片１３２ｃおよび１３２ｄがそれぞれ第一および第二の下側折り返し片を構成する。
【００３３】
（４）まとめ： 
つまり、パネル固定板金４５に折り返し片１２０ａ〜１２０ｄおよび凸部１３０ａ〜１３０ｄを形成するとともに、補助基板７０に半田盛１１０ａ〜１１０ｄおよびその裏面に半田盛１１５ａ〜１１５ｄを形成し、補助基盤７０をスライドさせて折り返し片および凸部の作る隙間に挿入して固定する。
【００３４】
以上説明したように、本実施例に対応する請求項２にかかる発明は、映像を画面に表示するフラット表示パネルと、音声を出力するスピーカと、テレビ放送を受信して映像を上記フラット表示パネルに表示させるとともに音声を上記スピーカにて出力させる主基板と、上記主基板に具現されない処理を担当する補助基板と、上記液晶表示パネルとスピーカと主基板とを収容する樹脂製のキャビネットと、上記フラット表示パネルを同フラット表示パネル裏面より支持して上記キャビネットに固定するとともに、上記補助基板が固定されるパネル固定板金とを備えるパネル型テレビジョンにおいて、上記パネル固定板金は複数の凸部と、上記凸部と対応する位置に鉤型に形成される複数の折り返し片と、アース端子とを備え、上記プリント基板は、上記凸部に対応する位置および上記折り返し片に対応する位置に半田を塗布して形成する半田盛が形成され、上記凸部と上記折り返し片とが形成する隙間は、上記半田盛を挟み込んで固定するとともに、上記凸部および上記折り返し片から上記半田盛にアース電位を供給する構成としてある。
【００３５】
すなわち、上記プリント基板の表と裏に形成された半田を塗布して形成する上記半田盛を、上記板金部品に形成された上記凸部と上記折り返し片とで挟み込むことにより、上記プリント基板をビスなしで上記板金部品に固定できるとともに、上記プリント基板にアース電位を供給できる。
【００３６】
また、請求項３では、上記請求項２に記載のパネル型テレビジョンにおいて、上記複数の折り返し片のうち、基板挿入方向奥側に位置するものは基板挿入方向奥側から手前側に折り返され、基板挿入方向の側方に位置するものは基板挿入方向の左右外側から内側に向けて折り返される構成としてある。これにより、基板挿入方向に対して側方への移動を規制しつつ、挿入完了すると挿入方向奥側への移動も規制することが可能となり、より確実に基板を板金に固定できる構造を提供できる。
【００３７】
そして、請求項４では、上記請求項２または３に記載のパネル型テレビジョンにおいて、上記半田盛りは、花びら状に凹凸をつけて形成される構成としてある。これにより、より確実にアース電位供給行えるようになる。
【００３８】
さらに、請求項５では、上記請求項２〜４のいずれかに記載のパネル型テレビジョンにおいて、上記板金部品の上記凸部の形成位置と上記折り返し片の形成位置とをずらした構成としてある。
また、請求項６では、上記請求項２〜５のいずれかに記載のパネル型テレビジョンにおいて、上記折り返し片には上記半田盛と接する位置に上記半田盛に向けた係合突起が形成され、上記半田盛には上記係合突起と係合する位置に係合くぼみが形成される構成としてある。請求項５および６の構成により、さらに確実に基板を板金に固定できる構造を提供できる。
【００３９】
以上の構成を踏まえた上で、請求項１の発明は、映像を画面に表示する平坦な表示面を前面に向けた液晶表示パネルと、音声を出力するスピーカと、テレビ放送を受信して映像を上記液晶表示パネルに表示させるとともに音声を上記スピーカにて出力させる主基板と、上記主基板に具現されない処理を担当する補助基板と、上記液晶表示パネルとスピーカと主基板とを収容する樹脂製のキャビネットと、上記液晶表示パネルを同液晶表示パネルの背面より支持して上記キャビネットに固定し、上記主基板を背面にネジ止めするとともに、上記補助基板を背面に固定し、アースに接続されたパネル固定板金とを備える液晶テレビジョンにおいて、上記補助基板は、略矩形のプリント基板とされ、四隅の裏表に花びら状に凹凸をつけて半田を塗布することにより半田盛がそれぞれ形成され、上記パネル固定板金の背面には、上記補助基板を固定する位置に、上記半田盛のそれぞれの位置にあわせて、しぼり加工によって後方へ膨らんだ断面略台形状の複数の凸部と、本パネル固定板金をコ字状に切り欠くとともに内側の短冊状部分を略９０度屈曲せしめて起立させ、先端部を切り欠き部分と反対の側に屈曲させた鉤型に形成することによって同凸部の後方で同凸部と相対向する位置であって同凸部との間で上記補助基板の縁部を挿入して挟持可能とした複数の折り返し片と、がそれぞれ形成され、同複数の凸部と同複数の折り返し片との間で上記補助基板が上方から下方へ挿入されて固定されるようにされ、上記複数の凸部は、固定された状態の上記補助基板の下側縁部の左右端部において前側に形成された各半田盛に接触する第一および第二の下側凸部と、同固定された状態の上記補助基板の上側縁部の左右端部において前側に形成された各半田盛に接触する第一および第二の上側凸部と、から構成され、固定された状態の上記補助基板の前面と上記パネル固定板金の背面との間に隙間を設けさせるように形成され、上記複数の折り返し片は、上記第一および第二の下側凸部に相対向して固定された状態の上記補助基板の下側縁部の左右端部において後側に形成された各半田盛に接触する第一および第二の下側折り返し片と、上記第一および第二の上側凸部に相対向して同固定された状態の上記補助基板の上側縁部の左右端部において後側に形成された各半田盛に接触する第一および第二の上側折り返し片と、から構成され、上記第一および第二の下側折り返し片は、下から上へ折り返されて上記補助基板の下側縁部を下側から支持する形状とされるとともに、上記半田盛と接する位置に当該半田盛に向けて突出した係合突起が形成され、上記第一および第二の上側折り返し片は、上記補助基板の左右方向外側から左右方向内側へ折り返されて上記補助基板の左右縁部をスライド可能に保持する形状とされ、上記補助基板の下側縁部の左右端部において後側に形成された各半田盛には、上記係合突起と係合する位置に窪んだ形状の係合くぼみがそれぞれ形成され、上記補助基板は、上記第一および第二の上側凸部と上記第一および第二の上側折り返し片との間に左右への移動を規制されつつ上方から挿入されて上記第一および第二の下側凸部と上記第一および第二の下側折り返し片との間に上方から挿入されて下方への移動を規制され、上記係合くぼみのそれぞれが上記係合突起のそれぞれに係合して位置決めされ、下側縁部の各半田盛が上記第一および第二の下側凸部と上記第一および第二の下側折り返し片とで挟まれてアースに接続され、上側縁部の半田盛が上記第一および第二の上側凸部と上記第一および第二の上側折り返し片とで挟まれてアースに接続されるとともに、上記パネル固定板金の背面との間に隙間が設けられて固定される構成としてある。
【００４０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４１】
【図１】パネル型テレビジョンの前面斜視図である。
【図２】バックキャビネットを外したパネル型テレビジョンの背面斜視図である。
【図３】本発明のテレビジョンの概略構成を示すブロック図である
【図４】基板取りつけ部分の拡大部分斜視図である
【図５】基板取りつけ部分の断面図である
【図６】基板に形成される半田盛の一変形例である
【図７】板金に形成される凸部と折り返し片の位置の変形例である
【図８】変形例における補助基板表面の半田盛と折り返し片の位置関係を示した平面図である
【図９】変形例における補助基板裏面の半田盛と折り返し片の位置関係を示した平面図である
【図１０】変形例における基板取りつけ部分の断面図である
【図１１】変形例における基板取りつけ部分の断面図である
【符号の説明】
【００４２】
１０…パネル型テレビジョン（液晶テレビジョン）
２０…フロントキャビネット
３０…バックキャビネット
４０…フラット表示パネル（液晶表示パネル）
４５…パネル固定板金
５０…脚部
６０…主基板
７０…補助基板
２１０…チューナ回路
２１５…アンテナ
２２０…画像データ生成回路
２３０…パネル駆動回路
２４０…電源回路
２５０…マイコン
２６０…インバータ回路
２７０…バックライト
２８０…デジタルＩ／Ｏ
１１０ａ〜１１０ｄ…半田盛
１１１ａ〜１１１ｄ…半田盛
１１２ａ，１１２ｂ…半田盛
１１５ａ，１１５ｂ…半田盛
１１６ａ〜１１６ｄ…半田盛
１１７ａ，１１７ｂ…半田盛
１２０ａ〜１２０ｄ…折り返し片
１２１ａ〜１２１ｄ…折り返し片
１２２ａ，１２２ｂ…折り返し片
１３０ａ〜１３０ｄ…凸部
１３１ａ〜１３１ｄ…凸部
１３２ａ，１３２ｂ…凸部
【図１】
2007116556.tif 000003
【図２】
2007116556.tif 000004
【図３】
2007116556.tif 000005
【図４】
2007116556.tif 000006
【図５】
2007116556.tif 000007
【図６】
2007116556.tif 000008
【図７】
2007116556.tif 000009
【図８】
2007116556.tif 000010
【図９】
2007116556.tif 000011
【図１０】
2007116556.tif 000012
【図１１】
2007116556.tif 000013